【手続補正書】
【提出日】令和3年4月27日(2021.4.27)
【手続補正１】
【補正対象書類名】特許請求の範囲
【補正対象項目名】全文
【補正方法】変更
【補正の内容】
【特許請求の範囲】
【請求項１】
複数の送信時間間隔（ＴＴＩ）長をサポートするシステムにおけるワイヤレス通信のための方法であって、
アップリンク通信のために割り振られたＴＴＩの制御領域を識別することと、
アップリンク通信のために割り振られた前記ＴＴＩの長さを決定することと、
前記ＴＴＩの各シンボルにおいてアップリンク制御情報を送信するために使用される送信電力が、異なる長さを有する別のＴＴＩの各シンボルにおいてアップリンク制御情報を送信するために使用される送信電力と同じであるように、前記ＴＴＩの前記長さに少なくとも部分的に基づいて、前記ＴＴＩの前記制御領域でアップリンク制御情報を送信するための送信電力を調整することと、
前記調整された送信電力を使用して、前記ＴＴＩの前記制御領域で前記アップリンク制御情報を送信することと
を備える、方法。
【請求項２】
前記送信電力を調整することは、
前記ＴＴＩの各シンボル中にアップリンク制御情報を送信するために、同じ送信電力を使用すること
を備える、請求項１に記載の方法。
【請求項３】
前記ＴＴＩは、３つのシンボルを備える、請求項１に記載の方法。
【請求項４】
３つのシンボルを備える前記ＴＴＩの間に、アップリンク制御情報を送信するために使用される前記調整された送信電力は、２つのシンボルを備えるＴＴＩ中にアップリンク制御情報を送信するために使用されるものと同じ送信電力を備える、請求項３に記載の方法。
【請求項５】
前記ＴＴＩの１つのシンボルがサウンディング基準信号（ＳＲＳ）送信のために割り振られていることを決定すること
をさらに備える、請求項３に記載の方法。
【請求項６】
前記ＴＴＩの第１のシンボル中に前記アップリンク制御情報を送信するために第１の送信電力を使用し、前記ＴＴＩの第２のシンボル中に前記アップリンク制御情報を送信するために第２の送信電力を使用すること、
ここにおいて、前記第１の送信電力と前記第２の送信電力は、同じである、
をさらに備える、請求項５に記載の方法。
【請求項７】
前記ＴＴＩの各シンボル中にアップリンク制御情報を送信するための前記送信電力のインジケーションを受信すること、ここにおいて、前記第１の送信電力および前記第２の送信電力は、前記インジケーションに少なくとも部分的に基づいて調整される、
をさらに備える、請求項６に記載の方法。
【請求項８】
前記インジケーションは、電力オフセットパラメータを備える、請求項７に記載の方法。
【請求項９】
前記ＴＴＩのいずれの前記シンボルも、サウンディング基準信号（ＳＲＳ）送信のために割り振られていないことを決定すること
をさらに備える、請求項３に記載の方法。
【請求項１０】
前記ＴＴＩの第１のシンボル中に前記アップリンク制御情報を送信するために第１の送信電力を使用し、前記ＴＴＩの第２のシンボル中に前記アップリンク制御情報を送信するために第２の送信電力を使用し、前記ＴＴＩの第３のシンボル中に前記アップリンク制御情報を送信するために第３の送信電力を使用すること、
ここにおいて、前記第１の送信電力、前記第２の送信電力、および前記第３の送信電力の各々は、前記ＴＴＩ中に前記アップリンク制御情報を送信するための前記調整された送信電力の一部分を備える、
をさらに備える、請求項９に記載の方法。
【請求項１１】
前記ＴＴＩの各シンボル中にアップリンク制御情報を送信するための前記送信電力のインジケーションを受信すること、ここにおいて、前記第１の送信電力、前記第２の送信電力、および前記第３の送信電力は、前記インジケーションに少なくとも部分的に基づいて調整される、
をさらに備える、請求項１０に記載の方法。
【請求項１２】
前記制御領域は、前記ＴＴＩの１つのシンボルにまたがる、請求項１に記載の方法。
【請求項１３】
アップリンク通信ために割り振られた前記ＴＴＩの前記長さは、前記ＴＴＩのインデックスまたは前記ＴＴＩに関連付けられたサービスのタイプに少なくとも部分的に基づいて決定される、請求項１に記載の方法。
【請求項１４】
複数の送信時間間隔（ＴＴＩ）長をサポートするシステムにおけるワイヤレス通信のための装置であって、
請求項１乃至１３の何れか一項のすべての方法のステップを実行するための手段
を備える装置。
【請求項１５】
複数の送信時間間隔（ＴＴＩ）長をサポートするシステムにおけるワイヤレス通信のためのコードを記憶した非一時的なコンピュータ可読媒体であって、前記コードは、
プロセッサによって実行されると、請求項１乃至１３の何れか一項の方法を実行する、非一時的なコンピュータ可読媒体。
【手続補正２】
【補正対象書類名】明細書
【補正対象項目名】００９９
【補正方法】変更
【補正の内容】
【００９９】
[0103]本明細書の説明は、当業者が本開示を製造または使用することを可能にするために提供された。本開示への様々な変更は、当業者には容易に明らかとなり、本明細書で定義した一般原理は、本開示の範囲から逸脱することなく、他の変形形態に適用され得る。したがって、本開示は、本明細書で説明された例および設計に限定されず、本明細書で開示された原理および新規の特徴に合致する最も広い範囲を与えられることとなる。
以下に本願の出願当初の特許請求の範囲に記載された発明を付記する。
［Ｃ１］
複数の送信時間間隔（ＴＴＩ）長をサポートするシステムにおけるワイヤレス通信のための方法であって、
アップリンク通信のために割り振られたＴＴＩの制御領域を識別することと、
アップリンク通信のために割り振られた前記ＴＴＩの長さを決定することと、
前記ＴＴＩの前記長さに少なくとも部分的に基づいて、前記ＴＴＩの前記制御領域でアップリンク制御情報を送信するための送信電力を調整することと、
前記調整された送信電力を使用して、前記ＴＴＩの前記制御領域で前記アップリンク制御情報を送信することと
を備える、方法。
［Ｃ２］
前記送信電力を調整することは、
前記ＴＴＩの各シンボル中にアップリンク制御情報を送信するために、同じ送信電力を使用すること
を備える、Ｃ１に記載の方法。
［Ｃ３］
前記ＴＴＩは、３つのシンボルを備える、Ｃ１に記載の方法。
［Ｃ４］
前記調整された送信電力は、２つのシンボルを備えるＴＴＩ中にアップリンク制御情報を送信するために使用されるものと同じ送信電力を備える、Ｃ３に記載の方法。
［Ｃ５］
前記ＴＴＩの１つのシンボルがサウンディング基準信号（ＳＲＳ）送信のために割り振られていることを決定すること
をさらに備える、Ｃ３に記載の方法。
［Ｃ６］
前記ＴＴＩの第１のシンボル中に前記アップリンク制御情報を送信するために第１の送信電力を使用し、前記ＴＴＩの第２のシンボル中に前記アップリンク制御情報を送信するために第２の送信電力を使用すること、
ここにおいて、前記第１の送信電力と前記第２の送信電力は、同じである、
をさらに備える、Ｃ５に記載の方法。
［Ｃ７］
前記ＴＴＩの各シンボル中にアップリンク制御情報を送信するための前記送信電力のインジケーションを受信すること、ここにおいて、前記第１の送信電力および前記第２の送信電力は、前記インジケーションに少なくとも部分的に基づいて調整される、
をさらに備える、Ｃ６に記載の方法。
［Ｃ８］
前記インジケーションは、電力オフセットパラメータを備える、Ｃ７に記載の方法。
［Ｃ９］
前記ＴＴＩのいずれの前記シンボルも、サウンディング基準信号（ＳＲＳ）送信のために割り振られていないことを決定すること
をさらに備える、Ｃ３に記載の方法。
［Ｃ１０］
前記ＴＴＩの第１のシンボル中に前記アップリンク制御情報を送信するために第１の送信電力を使用し、前記ＴＴＩの第２のシンボル中に前記アップリンク制御情報を送信するために第２の送信電力を使用し、前記ＴＴＩの第３のシンボル中に前記アップリンク制御情報を送信するために第３の送信電力を使用すること、
ここにおいて、前記第１の送信電力、前記第２の送信電力、および前記第３の送信電力の各々は、前記ＴＴＩ中に前記アップリンク制御情報を送信するための前記調整された送信電力の一部分を備える、
をさらに備える、Ｃ９に記載の方法。
［Ｃ１１］
前記ＴＴＩの各シンボル中にアップリンク制御情報を送信するための前記送信電力のインジケーションを受信すること、ここにおいて、前記第１の送信電力、前記第２の送信電力、および前記第３の送信電力は、前記インジケーションに少なくとも部分的に基づいて調整される、
をさらに備える、Ｃ１０に記載の方法。
［Ｃ１２］
前記インジケーションは、電力オフセットパラメータを備える、Ｃ１１に記載の方法。
［Ｃ１３］
前記制御領域は、前記ＴＴＩの１つのシンボルにまたがる、Ｃ１に記載の方法。
［Ｃ１４］
前記調整された送信電力は、２つのシンボルを備えるＴＴＩの各シンボル中にアップリンク制御情報を送信するために使用されるものと同じ送信電力である、Ｃ１３に記載の方法。
［Ｃ１５］
前記調整された送信電力は、２つのシンボルを備えるＴＴＩの各シンボル中にアップリンク制御情報を送信するために使用される送信電力よりも大きい、Ｃ１３に記載の方法。
［Ｃ１６］
前記ＴＴＩ中にアップリンク制御情報を送信するための前記送信電力のインジケーションを受信すること、ここにおいて、前記送信電力は、前記インジケーションに少なくとも部分的に基づいて調整される、
をさらに備える、Ｃ１３に記載の方法。
［Ｃ１７］
前記インジケーションは、電力オフセットパラメータを備える、Ｃ１６に記載の方法。
［Ｃ１８］
アップリンク通信ために割り振られた前記ＴＴＩの前記長さは、前記ＴＴＩのインデックスまたは前記ＴＴＩに関連付けられたサービスのタイプに少なくとも部分的に基づいて決定される、Ｃ１に記載の方法。
［Ｃ１９］
ワイヤレス通信のための方法であって、
アップリンク通信のために割り振られた送信時間間隔（ＴＴＩ）の制御領域を識別することと、
前記ＴＴＩの一部分がサウンディング基準信号（ＳＲＳ）送信のために割り振られているかどうかに少なくとも部分的に基づいて、前記ＴＴＩの前記制御領域でアップリンク制御情報を送信するための周波数ホッピングパターンを識別することと、
前記識別された周波数ホッピングパターンに少なくとも部分的に基づいて、前記ＴＴＩの前記制御領域で前記アップリンク制御情報を送信することと
を備える、方法。
［Ｃ２０］
前記ＴＴＩの１つのシンボルが、前記ＳＲＳ送信のために割り振られ、前記ＴＴＩは、３つのシンボルを備える、Ｃ１９に記載の方法。
［Ｃ２１］
前記識別された周波数ホッピングパターンに少なくとも部分的に基づいて、前記アップリンク制御情報を送信することは、
前記ＴＴＩの第１のシンボル中に、システム帯域幅の第１の周波数領域上でアップリンク制御情報を送信することと、
前記ＴＴＩの第２のシンボル中に、前記システム帯域幅の第２の周波数領域上でアップリンク制御情報を送信することと
を備える、Ｃ２０に記載の方法。
［Ｃ２２］
複数の送信時間間隔（ＴＴＩ）長をサポートするシステムにおけるワイヤレス通信のための装置であって、
プロセッサと、
前記プロセッサと電子通信状態にあるメモリと、
前記メモリに記憶され、かつ前記プロセッサによって実行されると、前記装置に、
アップリンク通信のために割り振られたＴＴＩの制御領域を識別することと、
アップリンク通信のために割り振られた前記ＴＴＩの長さを決定することと、
前記ＴＴＩの前記長さに少なくとも部分的に基づいて、前記ＴＴＩの前記制御領域でアップリンク制御情報を送信するための送信電力を調整することと、
前記調整された送信電力を使用して、前記ＴＴＩの前記制御領域で前記アップリンク制御情報を送信することと
を行わせるように動作可能な命令と
を備える装置。
［Ｃ２３］
ワイヤレス通信のための装置であって、
プロセッサと、
前記プロセッサと電子通信状態にあるメモリと、
前記メモリに記憶され、かつ前記プロセッサによって実行されると、前記装置に、
アップリンク通信のために割り振られた送信時間間隔（ＴＴＩ）の制御領域を識別することと、
前記ＴＴＩの一部分がサウンディング基準信号（ＳＲＳ）送信のために割り振られているかどうかに少なくとも部分的に基づいて、前記ＴＴＩの前記制御領域でアップリンク制御情報を送信するための周波数ホッピングパターンを識別することと、
前記識別された周波数ホッピングパターンに少なくとも部分的に基づいて、前記ＴＴＩの前記制御領域で前記アップリンク制御情報を送信することと
を行わせるように動作可能な命令と
を備える装置。
［Ｃ２４］
複数の送信時間間隔（ＴＴＩ）長をサポートするシステムにおけるワイヤレス通信のための装置であって、
アップリンク通信のために割り振られたＴＴＩの制御領域を識別するための手段と、  アップリンク通信のために割り振られた前記ＴＴＩの長さを決定するための手段と、  前記ＴＴＩの前記長さに少なくとも部分的に基づいて、前記ＴＴＩの前記制御領域でアップリンク制御情報を送信するための送信電力を調整するための手段と、
前記調整された送信電力を使用して、前記ＴＴＩの前記制御領域で前記アップリンク制御情報を送信するための手段と
を備える装置。
［Ｃ２５］
前記ＴＴＩの各シンボル中にアップリンク制御情報を送信するために、同じ送信電力を使用するための手段
をさらに備える、Ｃ２４に記載の装置。
［Ｃ２６］
前記ＴＴＩは、３つのシンボルを備える、Ｃ２４に記載の装置。
［Ｃ２７］
前記調整された送信電力は、２つのシンボルを備えるＴＴＩ中にアップリンク制御情報を送信するために使用されるものと同じ送信電力を備える、Ｃ２６に記載の装置。
［Ｃ２８］
前記ＴＴＩの１つのシンボルがサウンディング基準信号（ＳＲＳ）送信のために割り振られていることを決定するための手段
をさらに備える、Ｃ２６に記載の装置。
［Ｃ２９］
前記ＴＴＩの第１のシンボル中に前記アップリンク制御情報を送信するために第１の送信電力を使用し、前記ＴＴＩの第２のシンボル中に前記アップリンク制御情報を送信するために第２の送信電力を使用するための手段、
ここにおいて、前記第１の送信電力と前記第２の送信電力は、同じである、
をさらに備える、Ｃ２８に記載の装置。
［Ｃ３０］
前記ＴＴＩの各シンボル中にアップリンク制御情報を送信するための前記送信電力のインジケーションを受信するための手段、ここにおいて、前記第１の送信電力および前記第２の送信電力は、前記インジケーションに少なくとも部分的に基づいて調整される、
をさらに備える、Ｃ２９に記載の装置。
［Ｃ３１］
前記インジケーションは、電力オフセットパラメータを備える、Ｃ３０に記載の装置。
［Ｃ３２］
前記ＴＴＩのいずれの前記シンボルも、サウンディング基準信号（ＳＲＳ）送信のために割り振られていないことを決定するための手段
をさらに備える、Ｃ２６に記載の装置。
［Ｃ３３］
前記ＴＴＩの第１のシンボル中に前記アップリンク制御情報を送信するために第１の送信電力を使用し、前記ＴＴＩの第２のシンボル中に前記アップリンク制御情報を送信するために第２の送信電力を使用し、前記ＴＴＩの第３のシンボル中に前記アップリンク制御情報を送信するために第３の送信電力を使用するための手段、
ここにおいて、前記第１の送信電力、前記第２の送信電力、および前記第３の送信電力の各々は、前記ＴＴＩ中に前記アップリンク制御情報を送信するための前記調整された送信電力の一部分を備える、
をさらに備える、Ｃ３２に記載の装置。
［Ｃ３４］
前記ＴＴＩの各シンボル中にアップリンク制御情報を送信するための前記送信電力のインジケーションを受信するための手段、ここにおいて、前記第１の送信電力、前記第２の送信電力、および前記第３の送信電力は、前記インジケーションに少なくとも部分的に基づいて調整される、
をさらに備える、Ｃ３３に記載の装置。
［Ｃ３５］
前記インジケーションは、電力オフセットパラメータを備える、Ｃ３４に記載の装置。
［Ｃ３６］
前記制御領域は、前記ＴＴＩの１つのシンボルにまたがる、Ｃ２４に記載の装置。
［Ｃ３７］
前記調整された送信電力は、２つのシンボルを備えるＴＴＩの各シンボル中にアップリンク制御情報を送信するために使用されるものと同じ送信電力である、Ｃ３６に記載の装置。
［Ｃ３８］
前記調整された送信電力は、２つのシンボルを備えるＴＴＩの各シンボル中にアップリンク制御情報を送信するために使用される送信電力よりも大きい、Ｃ３６に記載の装置。
［Ｃ３９］
前記ＴＴＩ中にアップリンク制御情報を送信するための前記送信電力のインジケーションを受信するための手段、ここにおいて、前記送信電力は、前記インジケーションに少なくとも部分的に基づいて調整される、
をさらに備える、Ｃ３６に記載の装置。
［Ｃ４０］
前記インジケーションは、電力オフセットパラメータを備える、Ｃ３９に記載の装置。
［Ｃ４１］
アップリンク通信ために割り振られた前記ＴＴＩの前記長さは、前記ＴＴＩのインデックスまたは前記ＴＴＩに関連付けられたサービスのタイプに少なくとも部分的に基づいて決定される、Ｃ２４に記載の装置。
［Ｃ４２］
ワイヤレス通信のための装置であって、
アップリンク通信のために割り振られた送信時間間隔（ＴＴＩ）の制御領域を識別するための手段と、
前記ＴＴＩの一部分がサウンディング基準信号（ＳＲＳ）送信のために割り振られているかどうかに少なくとも部分的に基づいて、前記ＴＴＩの前記制御領域でアップリンク制御情報を送信するための周波数ホッピングパターンを識別するための手段と、
前記識別された周波数ホッピングパターンに少なくとも部分的に基づいて、前記ＴＴＩの前記制御領域で前記アップリンク制御情報を送信するための手段と
を備える装置。
［Ｃ４３］
前記ＴＴＩの１つのシンボルが、前記ＳＲＳ送信のために割り振られ、前記ＴＴＩは、３つのシンボルを備える、Ｃ４２に記載の装置。
［Ｃ４４］
前記ＴＴＩの第１のシンボル中に、システム帯域幅の第１の周波数領域上でアップリンク制御情報を送信するための手段と、
前記ＴＴＩの第２のシンボル中に、前記システム帯域幅の第２の周波数領域上でアップリンク制御情報を送信するための手段と
をさらに備える、Ｃ４３に記載の装置。
［Ｃ４５］
複数の送信時間間隔（ＴＴＩ）長をサポートするシステムにおけるワイヤレス通信のためのコードを記憶した非一時的なコンピュータ可読媒体であって、前記コードは、
アップリンク通信のために割り振られたＴＴＩの制御領域を識別することと、
アップリンク通信のために割り振られた前記ＴＴＩの長さを決定することと、
前記ＴＴＩの前記長さに少なくとも部分的に基づいて、前記ＴＴＩの前記制御領域でアップリンク制御情報を送信するための送信電力を調整することと、
前記調整された送信電力を使用して、前記ＴＴＩの前記制御領域で前記アップリンク制御情報を送信することと
を行うようにプロセッサによって実行可能な命令を備える、非一時的なコンピュータ可読媒体。
［Ｃ４６］
ワイヤレス通信のためのコードを記憶した非一時的なコンピュータ可読媒体であって、前記コードは、
アップリンク通信のために割り振られた送信時間間隔（ＴＴＩ）の制御領域を識別することと、
前記ＴＴＩの一部分がサウンディング基準信号（ＳＲＳ）送信のために割り振られているかどうかに少なくとも部分的に基づいて、前記ＴＴＩの前記制御領域でアップリンク制御情報を送信するための周波数ホッピングパターンを識別することと、
前記識別された周波数ホッピングパターンに少なくとも部分的に基づいて、前記ＴＴＩの前記制御領域で前記アップリンク制御情報を送信することと
を行うようにプロセッサによって実行可能な命令を備える、非一時的なコンピュータ可読媒体。